(57)【特許請求の範囲】
【請求項１】
マトリクス状に配された複数の表示素子と、
前記表示素子の配列する行に沿って配置された複数の走査線と、
前記表示素子の配列する列に沿って配置された複数の信号線と、
前記信号線と前記走査線にそれぞれ画像信号と駆動信号とを順次供給して前記表示素子を表示駆動する制御部とを有し、
前記制御部は、表示駆動する表示期間と表示駆動を行わない表示休止期間とを繰り返して１フレーム画像を表示し、１フレーム画像を表示する際、長さの異なる少なくとも２種の前記表示期間を用い、
１フレーム画像を表示する際、時系列で配置された複数の前記表示期間に含まれる表示ライン数は、２期間毎に２ずつ単調に増加もしくは減少する、又は３期間毎に３ずつ単調に増加もしくは減少する
表示装置。
【請求項２】
前記表示期間の長さは、当該表示期間に含まれる表示ライン数を用いて指定可能になされる請求項１に記載の表示装置。
【請求項３】
１フレーム画像を表示する際、少なくとも２種の前記表示期間をどのように時系列で配置するかに関する情報は、レジスタを介して授受するようになされ、
前記制御部は、前記レジスタを参照して表示駆動を制御する請求項１に記載の表示装置。
【請求項４】
少なくとも２種の前記表示期間をどのように時系列で配置するかに関する情報は、複数組設けられ、
前記制御部は、選択された１組の前記配置に関する情報を用いて前記表示駆動を制御する請求項３に記載の表示装置。
【請求項５】
前記表示装置は、複数の周波数から選択された周波数で駆動可能になされ、
前記表示期間及び表示休止期間の長さは、前記選択された周波数に応じて変化する請求項１に記載の表示装置。
【請求項６】
前記表示装置は、タッチ信号のＳ／Ｎ比が高いほど高い周波数のタッチ駆動信号を選択するようになされる請求項５に記載の表示装置。
【請求項７】
前記表示装置は、前記表示休止期間において外部近接物体を検知するためのタッチ駆動動作と検出動作とを実行するタッチ検出部を備える請求項１乃至６のうちいずれか１項に記載の表示装置。
【請求項８】
前記タッチ検出部は、インセルタイプのタッチセンサとして前記表示装置に設けられる請求項７に記載の表示装置。
【発明の詳細な説明】
【技術分野】
【０００１】
本発明の実施形態は、表示装置に関する。
【背景技術】
【０００２】
近年、薄型、軽量、低消費電力の特徴を活かして、液晶表示装置に代表される平面表示装置の需要が急速に伸びている。中でも、オン画素とオフ画素とを電気的に分離し、かつオン画素への映像信号を保持する機能を有する画素スイッチを各画素に設けたアクティブマトリクス型表示装置は、携帯情報機器を始め、種々のディスプレイに利用されている。
【０００３】
特許文献１には、表示装置の表示素子に画素信号を複数行毎にかつブランク期間を設けて供給するマルチＶブランキング駆動と共に、当該表示走査を行う表示動作期間とは異なる上記ブランク期間において、タッチ検出駆動信号をタッチ検出素子に供給するタッチ検出機能付表示装置が開示されている。
【先行技術文献】
【特許文献】
【０００４】
【特許文献１】特開２０１２−４８２９５号公報
【発明の概要】
【発明が解決しようとする課題】
【０００５】
ところで、上述のマルチＶブランキング駆動においても、他の駆動方式と同様に駆動によって生ずるノイズの影響を抑制することが求められる。
本発明は、斯かる事情に鑑みてなされたものであって、マルチＶブランキング駆動においてノイズを抑制することのできる表示装置を提供することを目的とする。
【課題を解決するための手段】
【０００６】
一実施形態に係る表示装置は、マトリクス状に配された複数の表示素子と、前記表示素子の配列する行に沿って配置された複数の走査線と、前記表示素子の配列する列に沿って配置された複数の信号線と、前記信号線と前記走査線にそれぞれ画像信号と駆動信号とを順次供給して前記表示素子を表示駆動する制御部とを有し、前記制御部は、表示駆動する表示期間と表示駆動を行わない表示休止期間とを繰り返して１フレーム画像を表示し、１フレーム画像を表示する際、長さの異なる少なくとも２種の前記表示期間を用い、１フレーム画像を表示する際、時系列で配置された複数の前記表示期間に含まれる表示ライン数は、２期間毎に２ずつ単調に増加もしくは減少する、又は３期間毎に３ずつ単調に増加もしくは減少する表示装置である。
【図面の簡単な説明】
【０００７】
【図１】第１の実施の形態の表示装置における表示装置の概略の構成を示す図である。
【図２】第１の実施の形態の表示装置の駆動方法を説明するための図である。
【図３】第１の実施の形態の表示装置に先立って検討した表示装置ＤＳＰに発生するノイズを説明するための図である。
【図４】第１の実施の形態の表示装置におけるノイズを低減する方法について説明するための図である。
【図５】第１の実施の形態の表示装置に発生するノイズを示す図である。
【図６】第１の実施の形態の表示装置におけるノイズを低減する他の方法について説明するための図である。
【図７】第１の実施の形態の表示装置におけるノイズを低減する更に他の方法について説明するための図である。
【図８】第１の実施の形態の表示装置のミューチャル検出方式のタッチセンサの代表的な基本構成を示す図である。
【図９】第１の実施の形態の表示装置のセンサの概略の構成例を示す図である。
【図１０】第１の実施の形態の表示装置のミューチャル検出方式の駆動方法を説明するための図である。
【図１１】第１の実施の形態の表示装置のディスプレイドライバの構成を示すブロック図である。
【発明を実施するための形態】
【０００８】
以下に、本発明の実施の形態について、図面を参照しつつ説明する。  
なお、開示はあくまで一例にすぎず、当業者において、発明の主旨を保っての適宜変更について容易に想到し得るものについては、当然に本発明の範囲に含有されるものである。また、図面は説明をより明確にするため、実際の態様に比べ、各部の幅、厚さ、形状等について模式的に表される場合があるが、あくまで一例であって、本発明の解釈を限定するものではない。また、本明細書と各図において、既出の図に関して前述したものと同様の要素には、同一の符号を付して、詳細な説明を適宜省略することがある。
【０００９】
[第１の実施の形態]  
図１は、第１の実施の形態の表示装置ＤＳＰにおける表示装置の概略の構成を示す図である。なお、本実施の形態において、表示装置は液晶表示装置である。
【００１０】
表示装置は、表示パネルＰＮＬと、表示パネルＰＮＬを背面側から照明するバックライトＢＬＴと、を備えている。そして表示パネルＰＮＬには、マトリクス状に配置された表示画素ＰＸを含む表示部が設けられている。
【００１１】
図１に示すように、表示部においては、複数の表示画素ＰＸが配列する行に沿って延びる走査線Ｇ（Ｇ１、Ｇ２…）と、複数の表示画素ＰＸが配列する列に沿って延びる信号線Ｓ（Ｓ１、Ｓ２…）と、走査線Ｇと信号線Ｓが交差する位置近傍に配置された画素スイッチＳＷとが備えられている。
【００１２】
画素スイッチＳＷは薄膜トランジスタ（ＴＦＴ：Ｔｈｉｎ  Ｆｉｌｍ  Ｔｒａｎｓｉｓｔｏｒ）を備えている。画素スイッチＳＷのゲート電極は対応する走査線Ｇと電気的に接続されている。画素スイッチＳＷのソース電極は対応する信号線Ｓと電気的に接続されている。画素スイッチＳＷのドレイン電極は対応する画素電極ＰＥと電気的に接続されている。
【００１３】
また、複数の表示画素ＰＸを駆動する駆動手段として、ゲートドライバＧＤ（左側ＧＤ−Ｌおよび右側ＧＤ−Ｒ）とソースドライバＳＤとが設けられている。複数の走査線ＧはゲートドライバＧＤの出力端子と電気的に接続されている。複数の信号線ＳはソースドライバＳＤの出力端子と電気的に接続されている。
【００１４】
ゲートドライバＧＤとソースドライバＳＤとは、表示部の周囲の領域（額縁）に配置されている。ゲートドライバＧＤは複数の走査線Ｇにオン電圧を順次印加して、選択された走査線Ｇに電気的に接続された画素スイッチＳＷのゲート電極にオン電圧を供給する。ゲート電極にオン電圧が供給された画素スイッチＳＷの、ソース電極−ドレイン電極間が導通する。ソースドライバＳＤは、複数の信号線Ｓのそれぞれに対応する画素信号を供給する。信号線Ｓに供給された画素信号は、ソース電極−ドレイン電極間が導通した画素スイッチＳＷを介して対応する画素電極ＰＥに印加される。
【００１５】
ゲートドライバＧＤとソースドライバＳＤとは、表示パネルＰＮＬの外部に配置された制御回路ＣＴＲにより動作を制御される。また制御回路ＣＴＲは、後述する共通電極ＣＯＭＥに共通電圧Ｖｃｏｍを供給している。さらに制御回路ＣＴＲは、バックライトＢＬＴの動作を制御する。尚、共通電極Ｖｃｏｍを駆動する駆動回路をソースドライバあるいはゲートドライバに内蔵するか専用の共通電極駆動ドライバにて共通電極Ｖｃｏｍを駆動してもよい。
【００１６】
図２は、第１の実施の形態の表示装置ＤＳＰの駆動方法を説明するための図である。
【００１７】
図２（１）には、表示画素ＰＸの駆動単位ＤＲｎを示している。駆動単位ＤＲ１、・・・、ＤＲＮはそれぞれ連続する複数の表示画素行で構成されている。第１の実施の形態の表示装置ＤＳＰでは、駆動単位ＤＲ１〜ＤＲｎの各々に逐次映像表示動作が実行される。
【００１８】
図２（２）には駆動方式を示している。本駆動方式では、１フレーム期間が複数のユニットで構成されている。１ユニット内は、映像を表示する期間と休止期間（ブランク期間）とに分割される。即ち、分割された映像表示期間と分割された休止期間とが交互に繰り返されて１フレーム期間が構成される。そして、ＲＧＢの３色を選択する信号（ＳＥＬＲ／Ｇ／Ｂ）に対応して色毎の表示信号（ＳＩＧｎ）を出力する動作を複数の表示行について実行した後、休止期間において表示動作を休止する。そして、１駆動単位ＤＲｎ内の複数の表示行について上述の動作を順次繰り返して実行する。なお、休止期間においては、当該表示装置ＤＳＰが備える表示機能以外の機能に対応した動作を実行することができる。例えば、表示装置ＤＳＰがタッチ検出機能を備えているときは、休止期間においてタッチ位置検出のための駆動動作を実行することができる。この動作については後で詳しく説明する。
【００１９】
図３は、第１の実施の形態の表示装置ＤＳＰに先立って検討した表示装置ＤＳＰに発生するノイズを説明するための図である。
【００２０】
図３（１）は、表示装置ＤＳＰで使用されるローレベルの電源電圧（ＶＧＬ）の推移を示す図である。表示期間において、走査線Ｇにオン電圧（ここでは、ローレベルの電圧）が印加されると対応する画素スイッチＳＷのソース電極−ドレイン電極間が導通する。なお、画素スイッチＳＷはＰチャンネルのトランジスタである。走査線Ｇにローレベルの電圧が印加されることによる負荷増加によってＶＧＬ電源電圧は低下する。即ち、ＶＧＬ電源電圧はゼロに近づく方向（図３（１）では上方向）に変化する。１ユニットの表示期間中は、ローレベル電圧が複数の走査線Ｇに順次切り替えて印加されるため、切り替えによる電源電圧の変動を伴いながらＶＧＬ電源電圧のレベルは低下状態を維持する。
【００２１】
一方、表示動作の停止中、即ち休止期間中では走査線Ｇにローレベルの電圧が印加されないため、ＶＧＬ電源電圧は元の状態に復帰する。即ち、ＶＧＬ電源電圧はゼロから遠ざかる方向（図３（１）では下方向）に変化する。従って、ＶＧＬ電源電圧波形は、表示期間（１６０μｓ）と休止期間（１５０μｓ）とが交互に繰り返される、１周期が３１０μｓ（＝１６０＋１５０）の周期波形となる。
【００２２】
図３（２）は、図３（１）に示す電源電圧（ＶＧＬ）の推移波形を周波数解析して得られる周波数分布波形を示す模式図である。ＶＧＬ電源電圧波形の１周期（３１０μｓ）に対応する基本周波数である約３．２ＫＨｚ（＝１０６／３１０）とその高調波とが高い強度をもつことが表されている。ここで、図３（２）に示す基本周波数とその高調波とはいずれも可聴領域にある。従って、第１の実施の形態の表示装置ＤＳＰの駆動方法を用いた場合、電源電圧の変動による音響ノイズの発生が考えられる。
【００２３】
図４は、第１の実施の形態の表示装置ＤＳＰにおけるノイズを低減する方法について説明するための図である。
【００２４】
上述のノイズは、電源電圧が周期的に変動することによって発生した。そこで、電源電圧の変動の周波数を分散化させて周期性を低下させることによってノイズを低減する。即ち、図４（１）に示すように、表示期間Ｄｎの時間長を可変とする。なお、本実施の形態では、休止期間の時間長は固定である。
【００２５】
図４（２）に周波数を分散化させるための表示期間Ｄｎの設定例を示す。１つの表示期間Ｄにおける表示ライン数は、固定方式では１６ラインであった。ここで、１ラインの表示に１０μｓを要する。即ち、固定方式では１つの表示期間は１６０μｓである。これに対して図４（２）に示す可変方式では、最初の表示期間Ｄ１における表示ライン数を４とし、表示期間Ｄが１増加するごとに、表示ライン数を１増加させている。そして、最後の表示期間Ｄ２６で表示ライン数を２８とした後は、続く表示期間Ｄ２７における表示ライン数を４とし、表示期間Ｄが１増加するごとに、表示ライン数を１増加させている。なお、本実施の形態では１フレーム内に表示期間と休止期間とが設けられている。
【００２６】
図５は、第１の実施の形態の表示装置ＤＳＰに発生するノイズを示す図である。  
図５（１）には、表示ライン数を固定して駆動したときに発生するノイズの周波数分布を示している。図５（２）には、上述のように表示ライン数を可変としたときに発生するノイズの周波数分布を示している。
【００２７】
固定方式では、図５（１）に示すように基本周波数が約５０ｍＶの強度で顕著に観測されたが、可変方式では、図５（２）に示すように顕著な周波数は観測されず一番高い周波数の強度も十数ｍＶと１／３以下の低い値になっている。この結果から、可変方式によれば、電源電圧の変動によるノイズ、例えば音響ノイズの発生を抑制することが可能となる。
【００２８】
なお、表示ライン数を可変とする実施例としては、図４（２）に示す例に限られず、周期性を抑制するように同一の値が繰り返さないように設定することができる。表示期間Ｄにおけるライン数を、３，３，５，５，７，７、・・・と奇数を初期値として２期間毎に２増加させても良く、５，５，５，８，８，８、・・・と３期間毎に３増加させても良い。また単調に増加させるのではなく、単調に減少させても良く、増加と減少を適宜の周期で繰り返させても良い。
【００２９】
上述の表示期間の時間長を可変とする駆動方法は、レジスタを用いて容易に実現することができる。例えば、（１）最初の表示期間の表示ライン数、（２）増加（減少）する表示期間の単位、（３）増加（減少）する表示ライン数、の３つのレジスタを備え、このレジスタ設定に従って表示を制御することで表示ライン数を単調に増加（減少）させることができる。このレジスタを使用する態様については後述する。
【００３０】
続いて、第１の実施の形態の表示装置ＤＳＰにおけるノイズを低減する他の方法について説明する。
【００３１】
図４に示すように、第１の実施の形態の表示装置ＤＳＰでは、表示期間と休止期間とが交互に繰り返される。例えば、表示期間（１６０μｓ）→休止期間（１５０μｓ）→表示期間（１６０μｓ）→休止期間（１５０μｓ）→・・・と交互に繰り返される。このような期間の周期性を制限する方法として、例えば連続する２つの表示期間の時間を合計時間は同じとして配分を変更することができる。合計時間３２０μｓ＝１００μｓ＋２２０μｓであるため、奇数番目の表示期間の時間を１００μｓとし、偶数番目の表示期間の時間を２２０μｓとする。これはまた、奇数番目の表示期間の表示ライン数を１０とし、偶数番目の表示期間の表示ライン数を２２とすることにも相当する。
【００３２】
図６は、第１の実施の形態の表示装置ＤＳＰにおけるノイズを低減する他の方法について説明するための図である。
【００３３】
図６（１）は、表示期間と休止期間の時間推移を示す図である。表示期間（１００μｓ）→休止期間（１５０μｓ）→表示期間（２２０μｓ）→休止期間（１５０μｓ）が基本周期として繰り返される。これは巨視的にみれば、６２０μｓ（＝１００μｓ＋１５０μｓ＋２２０μｓ＋１５０μｓ）を周期とする繰り返し信号である。
【００３４】
図６（２）は、図６（１）に示す電源電圧（ＶＧＬ）の推移波形を周波数解析して得られる周波数分布波形を示す図である。波形の１周期（６２０μｓ）に対応する基本周波数である約１．６ＫＨｚ（＝１０６／６２０）とその高調波とが高い強度をもつことが表されている。但し、図３に示すノイズ強度よりも低い値となっており、ノイズ低減効果のあることが認められる。
【００３５】
図７は、第１の実施の形態の表示装置ＤＳＰにおけるノイズを低減する更に他の方法について説明するための図である。
【００３６】
図７（１）は、表示期間と休止期間の時間推移を示す図である。前半は、表示期間（２２０μｓ）→休止期間（１５０μｓ）が繰り返され、後半は、表示期間（１００μｓ）→休止期間（１５０μｓ）が繰り返される。これは巨視的にみれば、３７０μｓ（＝２２０μｓ＋１５０μｓ）を周期とする繰り返し信号と、２５０μｓ（＝１００μｓ＋１５０μｓ）を周期とする繰り返し信号が合成された信号である。
【００３７】
図７（２）は、図７（１）に示す電源電圧（ＶＧＬ）の推移波形を周波数解析して得られる周波数分布波形を示す図である。前半の波形の１周期（３７０μｓ）に対応する基本周波数である約２．７ＫＨｚ（＝１０６／３７０）とその高調波、後半の波形の１周期（２５０μｓ）に対応する基本周波数である約４．０ＫＨｚ（＝１０６／２５０）とその高調波が観測されるが、いずれも図３に示すノイズ強度よりも低い値となっており、ノイズ低減効果のあることが認められる。
【００３８】
なお、表示期間の時間は上述の２２０μｓ、１００μｓに限定されず、合計時間３２０μｓ＝Ａμｓ＋Ｂμｓとなる２つの表示期間（Ａμｓ及びＢμｓ）を選択することができる。また、２つの表示期間で構成することに限定されず、３つ以上の表示期間を組み合わせても良い。
【００３９】
続いて、上述の表示装置にタッチセンサを組み込んだ形態について説明する。なお、本願の「タッチ」は、指などがタッチパネルに接触したことを検知する意味の他、指などがタッチパネルに近接したことを検知する意味も含む用語として用いられる。
【００４０】
図８は、第１の実施の形態の表示装置ＤＳＰのミューチャル検出方式のタッチセンサの代表的な基本構成を示す図である。共通電極ＣＯＭＥと検知電極ＤＥＴＥとが利用される。共通電極ＣＯＭＥは、複数のストライプ状共通電極Ｃｏｍｅ１，Ｃｏｍｅ２，Ｃｏｍｅ３・・・・を含む。この複数のストライプ状共通電極Ｃｏｍｅ１，Ｃｏｍｅ２，Ｃｏｍｅ３・・・・が走査（駆動）方向（Ｙ方向またはＸ方向）に配列されている。
【００４１】
一方、検知電極ＤＥＴＥは、複数のストライプ状検知電極Ｄｅｔｅ１，Ｄｅｔｅ２，Ｄｅｔｅ３，・・・・（ストライプ状共通電極よりも細い）を含む。この複数のストライプ状検知電極Ｄｅｔｅ１，Ｄｅｔｅ２，Ｄｅｔｅ３，・・・・は、ストライプ状共通電極Ｃｏｍｅ１，Ｃｏｍｅ２，Ｃｏｍｅ３・・・・と直交する方向（Ｘ方向またはＹ方向）に配列されている。
【００４２】
共通電極ＣＯＭＥと検知電極ＤＥＴＥは、間隔を置いて配置される。このために、複数のストライプ状共通電極Ｃｏｍｅ１，Ｃｏｍｅ２，Ｃｏｍｅ３・・・・と、複数のストライプ状検知電極Ｄｅｔｅ１，Ｄｅｔｅ２，Ｄｅｔｅ３，・・・・との間には、基本的に容量Ｃｃが存在する。
【００４３】
複数のストライプ状共通電極Ｃｏｍｅ１，Ｃｏｍｅ２，Ｃｏｍｅ３・・・・は所定の周期で駆動パルスＴＳＶＣＯＭにより走査される。今、ユーザの指がストライプ状検知電極Ｄｅｔｅ２に近接して存在するものとする。すると、ストライプ状共通電極Ｃｏｍｅ２に駆動パルスＴＳＶＣＯＭが供給されたときに、ストライプ状検知電極Ｄｅｔｅ２からは、他のストライプ状検知電極から得られるパルスよりも振幅レベルの低いパルスが得られる。これは、指により容量Ｃｘが生じ、これが容量Ｃｃに加えられるからである。ミューチャル検出では、この検出レベルの低いパルスを、ポジションＤＥＴＰの検出パルスとして取り扱うことができる。
【００４４】
上記の容量Ｃｘは、ユーザの指が検知電極ＤＥＴＥに近い場合と、遠い場合とで異なる。このために検出パルスのレベルもユーザの指が検知電極ＤＥＴＥに近い場合と、遠い場合とで異なる。よって、タッチパネルの平面に対する指の近接度を検出パルスのレベルで判断することができる。勿論、駆動パルスＴＳＶＣＯＭによる電極駆動タイミングと、検出パルスの出力タイミングにより、タッチパネルの平面上の指の２次元上の位置を検出することができる。
【００４５】
図９は、第１の実施の形態の表示装置ＤＳＰのセンサの概略の構成例を示す図である。第１の実施の形態の表示装置ＤＳＰでは、タッチドライバＴＰＩＣとディスプレイドライバＤＤＩとが協働することにより、共通電極ＣＯＭＥには駆動パルスＴＳＶＣＯＭが入力され、検知電極ＤＥＴＥから検出パルスが得られる。ディスプレイドライバＤＤＩは駆動パルスＴＳＶＣＯＭを出力し、タッチドライバＴＰＩＣは、駆動パルスＴＳＶＣＯＭを入力した共通電極ＣＯＭＥの位置と、検出パルスの波形とから指の接触位置を把握する。ここで、タッチ位置の算出は、不図示の外部装置が行うように構成することができる。
【００４６】
図１０は、第１の実施の形態の表示装置ＤＳＰのミューチャル検出方式の駆動方法を説明するための図である。
【００４７】
図１０（１）には、共通電極ＣＯＭＥの駆動単位Ｔｘを示している。駆動単位Ｔｘ１、・・・ＴｘＮはそれぞれ１つ以上のストライプ状共通電極Ｃｏｍｅで構成されている。本表示装置ＤＳＰでは、映像表示に使用される共通電極ＣＯＭＥがタッチ位置検知用の電極としても共用されているため、映像表示動作とタッチ位置検知動作とをタイムシェアリングにより駆動する。
【００４８】
図１０（２）の映像表示期間においては、図２で説明した動作が実行される。タッチ位置検出期間（図２の休止期間に対応する期間）においては、駆動単位Ｔｘ（複数のストライプ状共通電極Ｃｏｍｅ）に駆動パルスＴＳＶＣＯＭを入力するミューチャル検出動作を実行する。そして、分割された複数の駆動単位（ＤＲ１、・・・、ＤＲＮ）と複数の駆動単位Ｔｘ（Ｔｘ１、・・・、ＴｘＮ）について表示動作とタッチ位置検出動作を順次繰り返して実行する。なお、複数の駆動単位Ｄｘの行と複数の駆動単位Ｔｘの行は、同一位置になるように表示とタッチ駆動とを同期して制御しても良く、表示とタッチ駆動とをそれぞれ独立して制御するように構成しても良い。
【００４９】
図１１は、第１の実施の形態の表示装置ＤＳＰのディスプレイドライバＤＤＩの構成を示すブロック図である。ディスプレイドライバＤＤＩは、タイミングコントローラ３１、レベルシフタ３２、アナログフロントエンド３３、及び制御部３４を備えている。
【００５０】
タッチドライバＴＰＩＣは定数テーブルを指定する定数テーブル選択信号をディスプレイドライバＤＤＩに出力する。この定数テーブル選択信号は、タッチドライバＴＰＩＣが動作中において動的にタッチ動作を切り替える際に出力される。制御部３４は、指定された定数テーブルに記載されたデータを内部のレジスタに設定する。タイミングコントローラ３１は、表示タイミングを制御する駆動信号及びタッチ駆動を制御する信号をレジスタに設定された値に従って出力する。
【００５１】
即ち、タイミングコントローラ３１は、タッチドライバＴＰＩＣに同期信号を出力する。タイミングコントローラ３１は、レベルシフタ３２を介して転送回路制御信号をパネルＰＮＬに出力する。また、タイミングコントローラ３１は、表示タイミングを制御する信号を出力する。アナログフロントエンド３３は、この制御信号に従って映像信号をパネルＰＮＬに出力する。
【００５２】
また、外乱ノイズ除去のための周波数変更（Frequency shift）制御を実行することができる。例えば、タッチドライバＴＰＩＣが検知したタッチ信号のＳ／Ｎが低いときは、タッチドライバＴＰＩＣは、ディルプレイドライバＤＤＩに対してタッチ駆動信号の周波数を小さい値に変更するように要求信号（TSFRG）を出力する。ディスプレイドライバＤＤＩは、駆動信号の周波数を変更した後、タッチドライバＴＰＩＣに対して応答信号（TSFST）を返信する。これ以降、ディスプレイドライバＤＤＩはシフト（変更）された周波数で表示動作を実行する。またタッチドライバＴＰＩＣとディルプレイドライバＤＤＩとの間では、シフト（変更）された周波数によりタッチ駆動が制御される。この制御動作により、例えば、駆動周波数は６０Ｈｚと１２０Ｈｚの切替が動的に実行される。
【００５３】
なお、制御部３４は、上述のタッチドライバＴＰＩＣからの定数テーブル選択信号によらず、自らの判断で定数テーブルを動的に切り替えて、切り替えた定数テーブルに記載されたデータを内部のレジスタに設定することもできる。従って、タッチ機能が設けられていない場合であっても、定数テーブルを動的に切り替えることが可能である。
【００５４】
ここで、定数テーブルは複数組が設けられている。この複数組の定数テーブルに記載されたデータを内部のレジスタに設定することにより、例えば、図４、図６、図７に示す機能を実現するための、表示期間の長さ（ライン数）、表示期間の順番などを指定することができる。
【００５５】
なお、本発明は、実施の形態に記載のパネル構造に限定されず、ＩＰＳ（Ｉｎ−Ｐｌａｎｅ  Ｓｗｉｔｃｈｉｎｇ）モード、ＦＦＳ（Ｆｒｉｎｇｅ−Ｆｉｅｌｄ  Ｓｗｉｔｃｈｉｎｇ）モードなどの横電界方式の液晶、ＴＮ（Ｔｗｉｓｔｅｄ  Ｎｅｍａｔｉｃ）モード、ＯＣＢ（Ｏｐｔｉｃａｌｌｙ  Ｃｏｍｐｅｎｓａｔｅｄ  Ｂｅｎｄ）モードなどの縦電界方式の液晶を使用したパネルについても適用することができる。
【００５６】
また、実施の形態では、タッチ検出機能付き表示装置として、いわゆるインセルタイプの表示装置を例としたが、表示装置の表示面上にタッチパネルを形成した、いわゆるオンセルタイプの表示装置についても適用することができる。また、ミューチュアル検出方式以外にも、例えば駆動単位Ｔｘを駆動するとともにＴｘの振幅変動を検出するセルフ検出方式についても適用することができる。
【００５７】
本発明の実施の形態として上述した表示装置を基にして、当業者が適宜設計変更して実施し得る全ての表示装置も、本発明の要旨を包含する限り、本発明の範囲に属する。
【００５８】
本発明の思想の範疇において、当業者であれば、各種の変更例及び修正例に想到し得るものであり、それら変更例及び修正例についても本発明の範囲に属するものと了解される。例えば、上述の各実施形態に対して、当業者が適宜、構成要素の追加、削除もしくは設計変更を行ったもの、又は、工程の追加、省略若しくは条件変更を行ったものも、本発明の要旨を備えている限り、本発明の範囲に含まれる。
【００５９】
また、本実施形態において述べた態様によりもたらされる他の作用効果について本明細書記載から明らかなもの、又は当業者において適宜想到し得るものについては、当然に本発明によりもたらされるものと解される。
【００６０】
上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【符号の説明】
【００６１】
ＤＳＰ…表示装置、ＰＮＬ…表示パネル、ＢＬＴ…バックライト、ＰＸ…表示画素、Ｇ…走査線、Ｓ…信号線、ＣＴＲ…制御回路、ＣＯＭＥ…共通電極、Ｖｃｏｍ…共通電圧、Ｄｎ…表示期間、ＤＥＴＥ…検知電極、ＴＰＩＣ…タッチドライバ、ＤＤＩ…ディスプレイドライバ、３４…制御部
【図１】
0006503171.tif 000002
【図２】
0006503171.tif 000003
【図３】
0006503171.tif 000004
【図４】
0006503171.tif 000005
【図５】
0006503171.tif 000006
【図６】
0006503171.tif 000007
【図７】
0006503171.tif 000008
【図８】
0006503171.tif 000009
【図９】
0006503171.tif 000010
【図１０】
0006503171.tif 000011
【図１１】
0006503171.tif 000012